(57)【特許請求の範囲】
【請求項１】
キャリアアグリゲーションをサポートする通信システムにおいてセルを切り替える方法であって、
上記通信システムにおけるソース基地局は、そのサービスを受ける、セル切り替えを行う端末に選択したターゲット基地局に従属する一つ或いは複数のアクセス待ちセルに対応するキャリアコンポーネントの各々が同じ周波数帯域内に位置するか否かを判断し、肯定の場合に、上記一つ或いは複数のアクセス待ちセルにおける全てのセルの配置情報を、セル切り替えを発起するための切り替え命令にパッケージングし、否定の場合に、上記一つ或いは複数のアクセス待ちセルにおける一つ或いは複数の配置情報を上記切り替え命令にパッケージングし、
上記ターゲット基地局に上記切り替え命令を発送することを含む通信システムにおいてセルを切り替える方法。
【請求項２】
上記一つ或いは複数のアクセス待ちセルから一つを選択してメインアクセス待ちセルとすることをさらに含み、
上記一つ或いは複数のアクセス待ちセルにおける一つ或いは複数の配置情報を上記切り替え命令にパッケージングすることは、上記メインアクセス待ちセルの配置情報を上記切り替え命令にパッケージングすることを含む請求項１に記載の通信システムにおいてセルを切り替える方法。
【請求項３】
上記一つ或いは複数のアクセス待ちセルから一つを選択してメインアクセス待ちセルとすることは、
上記一つ或いは複数のアクセス待ちセルのうち、対応するキャリアコンポーネントが上記端末のカレントサービスセルに対応するキャリアコンポーネントと同じ周波数帯域内に位置するセルが存在するか否かを判断し、肯定の場合に、当該セルを選択してメインアクセス待ちセルとし、否定の場合に、上記一つ或いは複数のアクセス待ちセルのうち性能が最もよい一つを選択してメインアクセス待ちセルとすることを含む請求項２に記載の通信システムにおいてセルを切り替える方法。
【請求項４】
上記一つ或いは複数のアクセス待ちセルから一つを選択してメインアクセス待ちセルとすることは、
上記一つ或いは複数のアクセス待ちセルのうち性能が最もよい一つを選択して、メインアクセス待ちセルとすることを含む請求項２に記載の通信システムにおいてセルを切り替える方法。
【請求項５】
上記端末が上記ソース基地局の複数のセルにカレントアクセスすると、上記ターゲット基地局に切り替える前に、上記端末はカレントアクセスした複数のセルにおける一つとの通信を保持する請求項１に記載の通信システムにおいてセルを切り替える方法。
【請求項６】
上記ソース基地局は上記端末から発送した一つ或いは複数の近隣セルに対する性能測定報告に基づいて、上記一つ或いは複数の近隣セルに対応する一つ或いは複数の候補基地局から一つを選択してターゲット基地局とし、
上記一つ或いは複数の近隣セルにおける上記ターゲット基地局に従属する全てのセルから上記端末の一つ或いは複数のアクセス待ちセルを選択することをさらに含む請求項１に記載の通信システムにおいてセルを切り替える方法。
【請求項７】
上記一つ或いは複数の候補基地局から一つを選択してターゲット基地局とすることは、
上記一つ或いは複数の候補基地局のキャリアアグリゲーション方式に基づき、上記性能測定報告に応じて、上記キャリアアグリゲーション方式に適するアルゴリズムを選択して上記一つ或いは複数の候補基地局の優先順位を計算し、
上記一つ或いは複数の候補基地局から優先順位が最も高い一つを選択して、ターゲット基地局とすることを含む請求項６に記載の通信システムにおいてセルを切り替える方法。
【請求項８】
上記一つ或いは複数の候補基地局の優先順位を計算することは、
上記一つ或いは複数の近隣セルのうち互いに同じ候補基地局に従属する全ての近隣セルに対応するキャリアコンポーネントの各々が同じ周波数帯域内に位置するか否かを判断し、肯定の場合に、当該候補基地局に従属する全ての近隣セルの性能に基づいて当該候補基地局の優先順位を計算し、否定の場合に、当該候補基地局に従属する全ての近隣セルのうち性能が最もよい一つの性能に基づいて当該候補基地局の優先順位を確定することを含む請求項７に記載の通信システムにおいてセルを切り替える方法。
【請求項９】
当該候補基地局に従属する全ての近隣セルの性能に基づいて当該候補基地局の優先順位を計算することは、
上記性能測定報告に基づいて、当該候補基地局に従属する全ての近隣セルの性能の和或いは性能重み付けの和を計算して当該候補基地局の優先順位とすることを含む請求項８に記載の通信システムにおいてセルを切り替える方法。
【請求項１０】
キャリアアグリゲーションをサポートする通信システムにおける基地局に設置されたセル切り替えデバイスであって、
上記基地局が、そのサービスを受ける、セル切り替えを行う端末に選択したターゲット基地局に従属する一つ或いは複数のアクセス待ちセルに対応するキャリアコンポーネントの各々が同じ周波数帯域内に位置するか否かを確定し、肯定の場合に、上記一つ或いは複数のアクセス待ちセルにおける全てのセルの配置情報をセル切り替えを発起するための切り替え命令にパッケージングし、否定の場合に、上記一つ或いは複数のアクセス待ちセルにおける一つ或いは複数の配置情報を上記切り替え命令にパッケージングする命令形成装置と、
上記ターゲット基地局に上記切り替え命令を発送する発送装置とを含むセル切り替えデバイス。
【請求項１１】
上記一つ或いは複数のアクセス待ちセルから一つを選択してメインアクセス待ちセルとして上記命令形成装置に出力するメインセル選択装置をさらに含む請求項１０に記載のセル切り替えデバイス。
【請求項１２】
上記メインセル選択装置は、
上記一つ或いは複数のアクセス待ちセルのうち、対応するキャリアコンポーネントが上記端末のカレントサービスセルに対応するキャリアコンポーネントと同じ周波数帯域内に位置するセルが存在するか否かを判断し、肯定の場合に、当該セルを選択してメインアクセス待ちセルとし、否定の場合に、上記一つ或いは複数のアクセス待ちセルのうち性能が最もよい一つを選択してメインアクセス待ちセルとするように、上記メインアクセス待ちセルを選択するように配置される請求項１１に記載のセル切り替えデバイス。
【請求項１３】
上記メインセル選択装置は、
上記一つ或いは複数のアクセス待ちセルのうち性能が最もよい一つを選択してメインアクセス待ちセルとするように、上記メインアクセス待ちセルを選択するように配置される請求項１１に記載のセル切り替えデバイス。
【請求項１４】
上記端末が上記基地局の複数のセルにカレントアクセスすると、上記基地局は、上記端末が上記ターゲット基地局に切り替えられる前にカレントアクセスした複数のセルにおける一つとの通信を保持するように指示するように配置される請求項１０に記載のセル切り替えデバイス。
【請求項１５】
上記端末が発送した一つ或いは複数の近隣セルに対する性能測定報告を受信する受信装置と、
上記性能測定報告に基づいて、上記一つ或いは複数の近隣セルに対応する一つ或いは複数の候補基地局から一つを選択して上記ターゲット基地局とするターゲット基地局選択装置と、
上記一つ或いは複数の近隣セルにおける上記ターゲット基地局に従属する全てのセルから上記端末の一つ或いは複数のアクセス待ちセルを選択するセル選択装置と、をさらに含む請求項１０に記載のセル切り替えデバイス。
【請求項１６】
優先順位確定装置をさらに含み、
優先順位確定装置は、上記一つ或いは複数の候補基地局のキャリアアグリゲーション方式に基づき、上記キャリアアグリゲーション方式に適するアルゴリズムを選択して上記一つ或いは複数の候補基地局の優先順位を計算し、
上記ターゲット基地局選択装置は、上記優先順位に基づいて、上記一つ或いは複数の候補基地局から優先順位が最も高い一つを選択して、上記ターゲット基地局とするように配置される請求項１５に記載のセル切り替えデバイス。
【請求項１７】
上記優先順位確定装置は
上記一つ或いは複数の近隣セルのうち互いに同じ候補基地局に従属する近隣セルに対応するキャリアコンポーネントの各々が同じ周波数帯域内に位置するか否かを判断し、肯定の場合に、上記一つ或いは複数の近隣セルのうち当該候補基地局に従属する全ての近隣セルの性能に基づいて当該候補基地局の優先順位を計算し、否定の場合に、当該候補基地局に従属する全ての近隣セルのうち性能が最もよい一つの性能に基づいて当該候補基地局の優先順位を確定するように、上記一つ或いは複数の候補基地局の優先順位を計算するように配置される請求項１６に記載のセル切り替えデバイス。
【請求項１８】
上記優先順位確定装置は、上記性能測定報告に基づいて、候補基地局に従属する全ての近隣セルの性能の和或いは性能重み付けの和を計算して、当該候補基地局の優先順位とするように配置される請求項１７に記載のセル切り替えデバイス。
【請求項１９】
キャリアアグリゲーションをサポートする通信システムにおける基地局であって、
請求項１０〜１８の何れか一項に記載のセル切り替えデバイスを含む基地局。
【請求項２０】
コンピュータに請求項１〜９の何れか一項に記載の通信システムにおいてセルを切り替える方法を実行させるコンピュータプログラム。
【請求項２１】
コンピュータに請求項１〜９の何れか一項に記載の通信システムにおいてセルを切り替える方法を実行させるコンピュータプログラムを記憶しているコンピュータ読取可能な記憶媒体。
【発明の詳細な説明】
【技術分野】
【０００１】
本発明は、キャリアアグリゲーションをサポートする通信分野に係り、具体的に、キャリアアグリゲーションをサポートする通信システムにおいてセル切り替えを行う方法及びデバイス、並びにこのような方法を使用するか或いはこのようなデバイスを含む端末、基地局、通信システムに係る。
【背景技術】
【０００２】
将来のＬＴＥ−Ａ（Ｌｏｎｇ  Ｔｅｒｍ  Ｅｖｏｌｕｔｉｏｎ−Ａｄｖａｎｃｅｄ）システムは、１００ＭＨｚに達する伝送帯域幅をサポートすべきであるが、ＬＴＥ規格でサポートし得る最大伝送帯域幅は２０ＭＨｚであるため、複数のキャリアをアグリゲーションして、より高い伝送帯域幅を実現する必要がある。キャリアアグリゲーション(Ｃａｒｒｉｅｒ  Ａｇｇｒｅｇａｔｉｏｎ)は、３ＧＰＰが将来の移動通信システムのより高い伝送帯域幅のニーズをサポートするために提出した、複数のキャリアをアグリゲーションして連携伝送を行う技術である。キャリアアグリゲーション技術の導入は通信技術の発展に新しいチャンスと挑戦をもたらした。
【発明の概要】
【発明が解決しようとする課題】
【０００３】
キャリアアグリゲーションをサポートする通信システム（例えばＬＴＥ−Ａ）は各種のキャリアアグリゲーションシーンをサポートすることができ、例えば連続的キャリアアグリゲーションと非連続的キャリアアグリゲーションがある。これにより、通信システムにおける端末のセルを切り替える時のシーンの多様性を招いた。このような多様性で、単一の切り替えアルゴリズムが全てのシーンに適用できなくなった。本発明のいくつかの実施例は、セル切り替えの時に端末が位置する異なるキャリアアグリゲーションシーンに基づいてセル切り替えアルゴリズムを自己適応的に選択する方案を提出する。具体的に、本発明のいくつかの実施例は、キャリアアグリゲーションをサポートする通信システムにおいてセル切り替えを行う方法及びデバイス、並びにこのような方法を使用するか或いはこのようなデバイスを含む端末、基地局、通信システムを提供する。
【０００４】
以下、本発明のいくつかの方面の概要を説明し、本発明の基本理解を提供する。理解すべきことは、この概要は、本発明の網羅的な記述ではない。それは、本発明のキーポイント或いは重要な部分を確定するためではなく、本発明の範囲を限定するためでもない。その目的は、簡略化した形式で、いくつかの概念を提出し、それを後の詳細な記述の基にすることである。
【課題を解決するための手段】
【０００５】
本発明の一つの方面によれば、キャリアアグリゲーションをサポートする通信システムにおいてセルを切り替える方法を提供し、当該方法は、通信システムにおけるソース基地局が、そのサービスを受ける、セル切り替えを行う端末に選択したターゲット基地局に従属する一つ或いは複数のアクセス待ちセルに対応するキャリアコンポーネントが同じ周波数帯域内に位置するか否かを判断し、肯定の場合、上記一つ或いは複数のアクセス待ちセルにおける全てのセルの配置情報を上記端末のセル切り替えを発起するための切り替え命令にパッケージングし、否定の場合、上記一つ或いは複数のアクセス待ちセルにおける一つ或いは複数の配置情報を上記切り替え命令にパッケージングし、上記切り替え命令を発送することを含む。
【０００６】
本発明の他の方面によれば、セル切り替えデバイスを提供し、当該デバイスはキャリアアグリゲーションをサポートする通信システムの基地局に設置され、上記基地局が、そのサービスを受ける、セル切り替えを行う端末に選択したターゲット基地局に従属する一つ或いは複数のアクセス待ちセルに対応するキャリアコンポーネントが同じ周波数帯域内に位置するか否かを確定し、肯定の場合、上記一つ或いは複数のアクセス待ちセルにおける全てのセルの配置情報を上記端末のセル切り替えを発起する切り替え命令にパッケージングし、否定の場合、上記一つ或いは複数のアクセス待ちセルにおける一つ或いは複数の配置情報を上記切り替え命令にパッケージングする命令形成装置と、上記切り替え命令を発送する発送装置とを含む。
【０００７】
本発明のさらに他の方面によれば、キャリアアグリゲーションをサポートする通信システムにおける基地局を提供し、当該基地局は上記セル切り替えデバイスを含む。
【０００８】
本発明のさらに他の方面によれば、キャリアアグリゲーションをサポートする通信システムにおいてセルを切り替える方法を提供し、当該方法は、通信システムにおける端末がカレントサービスセルのエッジに移動した場合、一つ或いは複数の近隣セルのキャリアアグリゲーション方式に基づいて、上記一つ或いは複数の近隣セルのうち一つ或いは複数を選択して測定対象とし、上記端末が上記測定対象の性能を測定し、一つ或いは複数の測定結果を取得し、上記一つ或いは複数の測定結果を上記一つ或いは複数の近隣セルの性能測定報告として上記端末にカレントサービスするソース基地局に発送することを含む。
【０００９】
本発明のさらに他の方面によれば、セル切り替えデバイスを提供し、当該デバイスはキャリアアグリゲーションをサポートする通信システムの端末に設置され、当該端末がカレントサービスセルのエッジに移動した場合、一つ或いは複数の近隣セルのキャリアアグリゲーション方式に基づいて、上記一つ或いは複数の近隣セルのうち一つ或いは複数を選択して測定対象とする測定対象選択装置と、上記測定対象の性能を測定して一つ或いは複数の測定結果を得るセル測定装置と、上記セル測定装置が得た上記一つ或いは複数の測定結果を上記一つ或いは複数の近隣セルの性能測定報告として上記端末にカレントサービスするソース基地局に発送する発送装置とを含む。
【００１０】
本発明のさらに他の方面によれば、キャリアアグリゲーションをサポートする通信システムにおける端末を提供し、当該端末は上記セル切り替えデバイスを含む。
【００１１】
本発明のさらに他の方面によれば、キャリアアグリゲーションをサポートする通信システムにおいてセルを切り替える方法を提供し、上記方法は、通信システムにおけるソース基地局がそれがサービスする端末が発送した一つ或いは複数の近隣セルに対する性能測定報告を受信した後に、上記性能測定報告に応じて、上記一つ或いは複数の近隣セルに対応する一つ或いは複数の候補基地局のキャリアアグリゲーション方式に基づき、上記キャリアアグリゲーション方式に適するアルゴリズムを選択して上記一つ或いは複数の候補基地局の優先順位を計算し、上記一つ或いは複数の候補基地局から優先順位が最も高い一つを選択して、ターゲット基地局とし、上記一つ或いは複数の近隣セルにおける上記ターゲット基地局に従属する全てのセルから上記端末の一つ或いは複数のアクセス待ちセルを選択することを含む。
【００１２】
本発明のさらに他の方面によれば、セル切り替えデバイスを提供し、当該デバイスはキャリアアグリゲーションをサポートする通信システムの基地局に設置され、上記基地局のサービスする上記端末が発送した一つ或いは複数の近隣セルに対する性能測定報告を受信する受信装置と、上記性能測定報告に応じて、上記一つ或いは複数の近隣セルに対応する一つ或いは複数の候補基地局のキャリアアグリゲーション方式に基づき、上記キャリアアグリゲーション方式に適するアルゴリズムを選択して上記一つ或いは複数の候補基地局の優先順位を計算する優先順位確定装置と、優先順位確定装置が計算した上記優先順位に基づいて、上記一つ或いは複数の候補基地局のうち優先順位が最も高い一つを選択してターゲット基地局とするターゲット基地局選択装置と、上記ターゲット基地局に従属するセルから上記端末の一つ或いは複数のアクセス待ちセルを選択するセル選択装置と、を含む。
【００１３】
本発明のさらに他の方面によれば、キャリアアグリゲーションをサポートする通信システムにおける基地局を提供し、当該基地局は上記セル切り替えデバイスを含む。
【００１４】
本発明のさらに他の方面によれば、キャリアアグリゲーションをサポートする通信システムにおいてセルを切り替える方法を提供し、当該方法は、通信システムにおける端末がカレントサービスセルのエッジに移動した場合、一つ或いは複数の近隣セルのキャリアアグリゲーション方式に基づいて、上記一つ或いは複数の近隣セルのうち一つ或いは複数を選択して測定対象とし、上記端末は上記測定対象の性能を測定して一つ或いは複数の測定結果を取得し、上記一つ或いは複数の測定結果を上記一つ或いは複数の近隣セルの性能測定報告として上記端末にカレントサービスするソース基地局に発送し、上記ソース基地局は上記端末が発送した上記性能測定報告を受信した後に、上記性能測定報告に応じて、上記一つ或いは複数の近隣セルに対応する一つ或いは複数の候補基地局のキャリアアグリゲーション方式に基づき、上記キャリアアグリゲーション方式に適するアルゴリズムを選択して上記一つ或いは複数の候補基地局の優先順位を計算し、上記一つ或いは複数の候補基地局から優先順位が最も高い一つを選択して、ターゲット基地局とし、上記一つ或いは複数の近隣セルにおける上記ターゲット基地局に従属する全てのセルから上記端末の一つ或いは複数のアクセス待ちセルを選択し、上記端末に上記端末のセル切り替えを発起するための切り替え命令を発送することを含む。
【００１５】
本発明のさらに他の方面によれば、キャリアアグリゲーションをサポートする通信システムにおいてセルを切り替える方法を提供し、当該方法は、通信システムにおける端末がカレントサービスセルのエッジに移動した場合、一つ或いは複数の近隣セルのキャリアアグリゲーション方式に基づいて、上記一つ或いは複数の近隣セルのうち一つ或いは複数を選択して測定対象とし、上記端末は上記測定対象の性能を測定して一つ或いは複数の測定結果を取得し、上記一つ或いは複数の測定結果を上記一つ或いは複数の近隣セルの性能測定報告として上記端末にカレントサービスするソース基地局に発送し、上記ソース基地局は上記端末が発送した上記性能測定報告を受信した後に、上記性能測定報告に応じて、上記一つ或いは複数の近隣セルに対応する一つ或いは複数の候補基地局から一つを選択してターゲット基地局とし、上記一つ或いは複数の近隣セルにおける上記ターゲット基地局に従属する全てのセルから上記端末の一つ或いは複数のアクセス待ちセルを選択し、上記一つ或いは複数のアクセス待ちセルに対応するキャリアコンポーネントが同じ周波数帯域内に位置すると、上記一つ或いは複数のアクセス待ちセルにおける全てのセルの配置情報を上記端末のセル切り替えを発起する切り替え命令にパッケージングし、さもなければ、上記一つ或いは複数のアクセス待ちセルにおける一つ或いは複数の配置情報を上記切り替え命令にパッケージングし、上記切り替え命令を発送することを含む。
【００１６】
本発明のさらに他の方面によれば、キャリアアグリゲーションをサポートする通信システムを提供し、当該通信システムは上記の端末及び/又は基地局を含む。
【００１７】
また、本発明の実施例は、上記方法を実現するためのコンピュータプログラムを提供する。
【００１８】
また、本発明の実施例は、少なくともコンピュータ読み取り可能な媒体形式のコンピュータプログラム製品を提供し、それには上記方法を実現するためのコンピュータプログラムコードが記録されている。
【図面の簡単な説明】
【００１９】
以下のように図面に基づいて、本発明の実施例を説明することにより、本発明の以上及びその他の目的、特徴、長所はより明らになるだろう。図面中の部品は、本発明の原理を示すためのものに過ぎない。図面において、同一或いは類似する技術特徴、部品は、同一或いは類似する符号で示す。
【００２０】
【図１】本発明の一実施例による、通信システムにおける端末がセルを切り替える方法を示す模式的フローチャートである。
【００２１】
【図２】本発明の一実施例による、端末が測定対象を選択する方法を示す模式的フローチャートである。
【００２２】
【図３】本発明の一実施例による、端末がソース基地局に性能測定報告を発送する前に測定結果を選別する方法を示す模式的フローチャートである。
【００２３】
【図４】本発明の他の実施例による、端末がソース基地局に性能測定報告を発送する前に測定結果を選別する方法を示す模式的フローチャートである。
【００２４】
【図５】本発明の一実施例による、端末が測定結果の選別を行うための比較対象を測定する方法を示す模式的フローチャートである。
【００２５】
【図６】本発明の他の実施例による、端末が測定結果の選別を行うための比較対象を測定する方法を示す模式的フローチャートである。
【００２６】
【図７】本発明の一実施例による、セル切り替えデバイスの構成を示す模式的ブロック図である。
【００２７】
【図８】本発明の他の実施例による、セル切り替えデバイスの構成を示す模式的ブロック図である。
【００２８】
【図９】本発明の一実施例による、通信システムにおけるソース基地局がセル切り替えを行う方法を示す模式的フローチャートである。
【００２９】
【図１０】本発明の一実施例による、ソース基地局が端末が発送した性能測定報告に基づいて候補基地局の優先順位を算出する方法を示す模式的フローチャートである。
【００３０】
【図１１】本発明の一実施例による、ソース基地局がターゲット基地局のキャリアアグリゲーション方式に基づいてアクセス待ちセルを選択する方法を示す模式的フローチャートである。
【００３１】
【図１２】本発明の一実施例による、ソース基地局がターゲット基地局のキャリアアグリゲーション方式に基づいてメインアクセス待ちセルを選択する方法を示す模式的フローチャートである。
【００３２】
【図１３】本発明の一実施例による、ソース基地局が選択したアクセス待ちセルのキャリアアグリゲーション方式に基づいて切り替え命令を形成する方法を示す模式的フローチャートである。
【００３３】
【図１４】本発明の実施例による、キャリアアグリゲーションをサポートする通信システムの基地局に設置されるセル切り替えデバイスの構成を示す模式的ブロック図である。
【００３４】
【図１５】本発明の一実施例による、通信システムのソース基地局がセル切り替えを行う方法を示す模式的フローチャートである。
【００３５】
【図１６】本発明の実施例による、キャリアアグリゲーションをサポートする通信システムの基地局に設置されるセル切り替えデバイスの構成を示す模式的ブロック図である。
【００３６】
【図１７】上記実施例のセル切り替えアルゴリズムの応用シーンをそれぞれ示す。
【図１８】上記実施例のセル切り替えアルゴリズムの応用シーンをそれぞれ示す。
【図１９】上記実施例のセル切り替えアルゴリズムの応用シーンをそれぞれ示す。
【００３７】
【図２０】本発明の他の実施例による、通信システムのソース基地局がセル切り替えを行う方法を示す模式的フローチャートである。
【００３８】
【図２１】本発明を実現するためのコンピュータの構成を示す例示的ブロック図である。
【発明を実施するための形態】
【００３９】
以下、図面に基づいて、本発明の実施例を説明する。本発明の一つの図面或いは一つの実施形態で記述する要素及び特徴は一つ或いは複数の他の図面或いは実施形態で示す要素及び特徴と組み合わせることができる。注意すべきところは、明らかにするために、図面と説明において、本発明に関係がなく、当業者が既知の部品と処理の表示と記述を省略した。
【００４０】
本発明の実施例によれば、キャリアアグリゲーションをサポートする通信システムにおいて端末がセル切り替えを行う時に置かれる異なるシーンに基づいて切り替えアルゴリズムを自己適応に選択する方案を提供する。本明細書で、端末がカレントアクセスするカレントサービスセルが従属する基地局をソース基地局（即ち、当該端末にカレントにサービスする基地局）と称し、端末の近隣セルが従属する基地局を候補ターゲット基地局或いは候補基地局と称し、端末が最終に切り替えられたセルが所属する基地局をターゲット基地局と称する。ここで、近隣セルとは、端末がカレントサービスセルのカバーエッジに移動した時に検出したカバー範囲で当該端末のカレントサービスセルと隣接するセルを指す。
【００４１】
図１は、本発明の一実施例による、キャリアアグリゲーションをサポートする通信システムにおける端末がセルを切り替える方法を示す。
【００４２】
端末がセル切り替えを行う場合に、まずその各近隣セルの性能を測定する必要がある。この時、端末がカレントサービスセルのカバーエッジに位置し、一つ或いは複数の近隣セルを同時に検出する可能性がある。これらの近隣セルは異なる候補基地局に従属する可能性があり、これらの候補基地局は各種のキャリアアグリゲーション方式をサポートする可能性がある。異なるキャリアアグリゲーション方式において、これらの近隣セルは異なる特性を表す可能性がある。図１に示す実施例で、端末は検出した異なるキャリアアグリゲーション方式における近隣セルの異なる特性に基づいて、その中の一部或いは全部を測定対象として選択する。
【００４３】
図１に示すように、上記方法はステップ１０３、ステップ１０９、ステップ１１５を含むことができる。
【００４４】
ステップ１０３で、検出した一つ或いは複数の近隣セルのキャリアアグリゲーション方式に基づいて、その中から一つ或いは複数を選択して測定対象とする。言い換えると、簡単に全ての近隣セルに対して測定を行うのではなく、これらの近隣セルの異なるキャリアアグリゲーション方式での異なる特性に基づいて測定対象を選択することができる。例示として、端末のソース基地局により測定対象の選択を行い、その後にソース基地局により選択結果を端末に通知することができる。他の例示として、端末により測定対象の選択を行うことができる。
【００４５】
ステップ１０９で、端末がステップ１０３で得られた一つ或いは複数の測定対象の性能を測定して、一つ或いは複数の測定結果を得る。ステップ１１５で、端末はこれらの測定結果を利用して一つ或いは複数の近隣セルに対する性能測定報告を形成してソース基地局に発送する。
【００４６】
図１に示した方法を利用して、測定する必要があるセルの数を減少することができ、端末の測定負荷を低減し、処理速度を向上する。
【００４７】
理解すべきことは、端末は任意の適切な方法を利用してあるセルの性能（セルの性能は一つ或いは複数の性能パラメータで示すことができる）を測定して当該セルの測定結果とすることができる。本明細書で具体的測定方法と性能パラメータに対する説明を省略し、測定して得たセルの性能パラメータをセルの性能を総称する。
【００４８】
図２に本発明の他の実施例を示し、一つ或いは複数の近隣セルから測定対象を選択する方法を提供する。連続的キャリアアグリゲーションの場合、ある候補基地局に従属する各近隣セルに対応するキャリアコンポーネントが同じ周波数帯域内に位置するため、これらのキャリアコンポーネントの伝播特性が類似する。このような特性を利用して、当該候補基地局に従属する近隣セルから一つを選択して測定対象とし、当該測定対象に対する測定結果は当該候補基地局に従属する全ての近隣セルの測定結果とすることができる。
【００４９】
図２に示すように、ステップ１０３−１で、一つ或いは複数の近隣セルにおける同じ基地局に従属する近隣セルに対応するキャリアコンポーネントが同じ周波数帯域内に位置するかを確定する。言い換えると、まず同じ基地局に従属する近隣セルが連続的キャリアアグリゲーション方式であるかを判断する。肯定の場合、ステップ１０３−２で、同じ基地局に従属する近隣セルから一つ或いは複数を選択して（一つを選択するのが好ましい）測定対象とする。否定の場合、ステップ１０３−３で、同じ基地局に従属する近隣セルにおける全てのセルを測定対象とする。具体的に、一つの近隣セルのみがある候補基地局に対応すると、当該近隣セルを測定対象とする。複数の近隣セルがある候補基地局に対応し且つこれらの近隣セルが同じ周波数帯域内に位置しないと、当該候補基地局に従属する近隣セルを何れも測定対象とする。複数の近隣セルがある候補基地局に対応し且つこれらの近隣セルが同じ周波数帯域内に位置すると、当該候補基地局に従属する全ての近隣セルを全て測定対象とする必要がない。図２に示すステップはセル切り替えを行う端末或いはそのソース基地局により完成することができる。
【００５０】
図２の実施例は連続的キャリアアグリゲーション方式でのセルのスペクトル特徴と伝播特徴を利用し、測定する必要がある近隣セルの数を減少し、端末の測定負荷を大幅に低減した。他の実施例或いは例示で、他のキャリアアグリゲーションシーンにおける近隣セルの他の適切な特性で測定のための対象を選別することもでき、ここでは省略する。
【００５１】
理解すべきことは、上述の測定対象を選択する方法は上文で説明した或いは下文で説明するセル切り替え方法の他の実施例に適用することができる。
【００５２】
幾つかの実施例で、端末がソース基地局に測定結果を発送する前に、幾つかの条件に基づいてこれらの測定結果に対して選別することもできる。条件に合う測定結果のみをソース基地局に発送する。これにより、通信システムが処理する必要がある測定結果の数を減少することができ、通信線路の伝送負荷及びソース基地局の処理負荷を低減する。図３〜６に、端末が測定結果に対して最適化処理を行う方法の幾つかの具体的な実施例をそれぞれ示す。
【００５３】
図３の実施例で、端末は測定結果の発送閾値を設置して処理する必要がある測定報告の数を減少し、通信線路の伝送負荷及びソース基地局の処理負荷を低減する。図３に示すように、ステップ１１０で、端末は測定して得た一つ或いは複数の測定結果における各測定結果がある閾値より高いかを確定し、肯定の場合、ステップ１１５でソース基地局に測定結果を発送し、即ち当該測定結果をソース基地局に発送する性能測定報告に含ませる。ある測定結果が上記閾値より低いと、端末はソース基地局に当該測定結果を発送せず、即ち当該測定結果をソース基地局に発送する性能測定報告に含ませない。理解すべきことは、上記閾値は必要に応じて設定することができ、例えば測定した性能パラメータ或いは実際の通信シーンに基づいて設定することができ、ここでは詳細に説明しない。例示として、上記閾値はシステム（或いは基地局）が端末のために設置した値或いは端末が実際応用シーンに基づいて確定した値である。他の例示として、上記閾値は予め端末に設置しておいてもよい。
【００５４】
図４の実施例で、端末或いはそのソース基地局はソース基地局キャリアアグリゲーション方式に基づいて測定結果と比較するための比較待ち対象を指定し、測定結果の選別方法が実際の通信シーンに自己適応するようにし、且つ測定報告の発送をさらに最適化する。具体的に、同じ周波数帯域に位置するキャリアコンポーネントは一般的に類似する伝播特性を有し、よって、ソース基地局が連続的キャリアアグリゲーション方式である場合、そのセルから任意に一つを選択して比較待ち対象として測定することができ、端末の測定負荷及び処理負荷を低減し、処理速度を向上する。ソース基地局が非連続的キャリアアグリゲーション方式である場合、各セルのキャリアコンポーネントが異なる周波数帯域内に位置するため、各セルの伝播特性は異なる。この場合、ソース基地局の全てのセルを比較待ち対象として測定することができる。図４に示すように、ステップ１１１で、端末或いはソース基地局はソース基地局の全てのセル（或いは端末がカレントアクセスした全てのセル）に対応するキャリアコンポーネントが異なる周波数帯域に位置するかを確定する。
【００５５】
ステップ１１１の判断結果が肯定の場合、ステップ１１２で、端末は各測定結果とソース基地局の全てのセルの性能を比較し、或いは各測定結果とある閾値を比較する（図３に示す実施例に類似し、当該閾値はシステム、基地局或いは端末により予め確定されるか或いは必要に応じて確定されてもよいが、ここでは省略する）。ある測定結果がソース基地局の全てのセルの性能より優れるか或いは当該閾値より高いと、ステップ１１５でソース基地局に当該測定結果を発送することができ、さもなければ、ソース基地局に当該測定結果を発送しない。
【００５６】
ステップ１１１の判断結果が否定の場合、即ちソース基地局の全てのセルに対応するキャリアコンポーネントが同じ周波数帯域内に位置すると、ステップ１１２で、端末は各測定結果とソース基地局の全てのセルにおける何れか一つの性能を比較するか、或いは各測定結果とある閾値を比較する（図３に示す実施例と類似し、当該閾値はシステム、基地局或いは端末により予め確定されるか、必要に応じて確定されてもよく、ここでは省略する）。ある測定結果がソース基地局の全てのセルのうちランダムに選択した何れかのセルの性能より優れるか或いは当該閾値より高いと、ステップ１１５でソース基地局に当該測定結果を発送し、さもなければ、ソース基地局に当該測定結果を発送しない。
【００５７】
例示として、端末は図５或いは図６の方法を利用して測定結果とソース基地局のセルの性能の比較を実現することができる。
【００５８】
図５に示すように、近隣セルの測定結果とソース基地局の全てのセルの性能を比較する方法（図４に示すステップ１１２）はステップ１１２−１と１１２−２を含むことができる。ステップ１１２−１で、ソース基地局の全てのセル（端末がカレントアクセスした、ソース基地局の全てのセル）のうち性能が最もよい一つのセルを比較対象とし、且つ端末が当該比較対象の性能を測定する。ステップ１１２−２で、端末は各測定結果と性能が最もよい一つのセルの性能を比較する。図５に示す方法によれば、端末は測定結果とソース基地局の各セルの性能を比較する必要がなく、端末の処理負荷を低減し、処理速度を向上する。例示として、端末がカレントアクセスした全てのセルにおける性能が最もよい一つのセルはソース基地局（例えばそれが保存した性能データに基づいて）により指定して端末に通知してもよい。他の例示として、端末がそれが保存した性能データ或いは履歴測定結果に基づいて、カレントアクセスした全てのセルのうち性能が最もよい一つのセルを選択し、或いは、端末がそれがカレントアクセスした全てのセルに対して測定して、その中の性能が最もよい一つを選択して比較対象とすることができる。
【００５９】
図６に示すように、近隣セルの測定結果とソース基地局の何れかのセルの性能を比較する方法（図４に示すステップ１１３）はステップ１１３−１と１１３−２を含むことができる。ステップ１１３−１で、ソース基地局の全てのセル（端末がカレントアクセスした全てのセル）のうちランダムに一つのセルを選択して比較対象とし、当該比較対象の性能を測定する。ステップ１１３−２で、端末は各測定結果と選択したセルの性能を比較する。図６の方法によれば、端末はソース基地局の一つのセルの性能を測定すればよく、端末の測定と処理負荷を低減し、処理速度を向上することができる。例示として、ソース基地局により端末がカレントアクセスした全てのセルからランダムに一つを指定して比較対象とし、当該比較対象を端末に通知することができる。他の例示として、端末によりそれがカレントアクセスした全てのセルから任意に一つを選択して比較対象とすることができる。
【００６０】
理解すべきことは、図３〜６に示した実施例/例示の測定結果を処理する方法は本発明のセル切り替え方法の他の実施例に適用することができる。
【００６１】
図７、図８は、上記実施例/例示の方法を適用するセル切り替えデバイスをそれぞれ示す。図７或いは図８に示すデバイス７００或いは８００はキャリアアグリゲーションをサポートする通信システムの端末（図示せず）に設置されることができる。
【００６２】
図７に示すように、セル切り替えデバイス７００は、測定対象選択装置７０１と、セル測定装置７０２と、発送装置７０３とを含む。
【００６３】
端末がカレントサービスセルのカバーエッジに移動した場合、当該測定対象選択装置７０１は検出した一つ或いは複数の近隣セルのキャリアアグリゲーション方式に基づいて、近隣セルから一つ或いは複数を選択して測定対象とする。
【００６４】
セル測定装置７０２は選択した一つ或いは複数の測定対象の性能を測定して一つ或いは複数の測定結果を得る。発送装置７０３はセル測定装置７０２により得られた測定結果に基づいて、一つ或いは複数の近隣セルの性能測定報告を形成して当該端末にカレントサービスするソース基地局に発送する。
【００６５】
図１の方法実施例と類似し、デバイス７００は検出した近隣セルの異なる特性に基づいて測定対象を選択するものであり、簡単に全ての近隣セルに対して測定するのではない。これにより、測定する必要があるセルの数を減少し、デバイス（端末）の測定負荷を低減し、処理速度を向上する。
【００６６】
図８に示すように、セル切り替えデバイス８００は、測定対象選択装置８０１、セル測定装置８０２、発送装置８０３を含む。図７と異なる点は、セル切り替えデバイス８００はさらに判断装置８０４を含む点である。
【００６７】
測定対象選択装置８０１、セル測定装置８０２、発送装置８０３は図７に示す対応装置７０１、７０２、７０３と比べて機能が類似し、ここでは重複しない。判断装置８０４はセル測定装置８０１が得た各測定結果がある閾値より高いか否かを判断し、肯定の場合、上記発送装置８０３にソース基地局に当該測定結果を発送するように指示し、さもなければ、発送装置８０３にソース基地局に当該測定結果を発送しないように指示する。
【００６８】
図８に示す実施例で、セル切り替えデバイス８００は測定結果の発送閾値を設置し、処理する必要がある測定報告の数を減少し、通信線路の伝送負荷及びソース基地局の処理負荷を低減する。
【００６９】
他の実施例で、判断装置８０４は、ソース基地局のキャリアアグリゲーション方式に基づいて測定結果と比較するための比較待ち対象を選択することもできる。具体的に、判断装置８０４は、まずソース基地局の全てのセルに対応するキャリアコンポーネントが異なる周波数帯域に位置するか否かを確定する。ソース基地局の全てのセルに対応するキャリアコンポーネントが異なる周波数帯域に位置すると、判断装置８０４は、さらにセル測定装置８０２が得た各測定結果がソース基地局の全てのセルの性能より優れるか或いはある閾値より高いかを判断し、肯定の場合、発送装置８０３にソース基地局に当該測定結果を発送するように指示し、さもなければ、ソース基地局に当該測定結果を発送しない。ソース基地局の全てのセルに対応するキャリアコンポーネントが同じ周波数帯域に位置すると確定すると、判断装置はさらにセル測定装置８０２が得た各測定結果がソース基地局の全てのセルのうちランダムに選択した何れかのセルの性能より優れるか或いはある閾値より高いかを判断し、肯定の場合、発送装置８０３にソース基地局に当該測定結果を発送するように指示し、さもなければ、ソース基地局に当該測定結果を発送しない。このように、測定結果に対する選別は実際の通信シーンに自己適応し、測定報告の発送をさらに最適化する。連続的キャリアアグリゲーション方式で、ソース基地局のセルから任意に一つを選択して比較待ち対象として測定を行い、端末の測定負荷と処理負荷を低減し、処理速度を向上する。
【００７０】
例示として、デバイス８００は例えば図５或いは図６の方法を利用して測定結果とソース基地局のセルの性能の比較を実現することができる。例えば、セル測定装置８０２はソース基地局の全てのセルの性能を測定して判断装置８０４にフィードバックすることができる。判断装置８０４はセル測定装置８０２が得たソース基地局の全てのセルの性能に基づいて、その中の性能が最もよい一つのセルを選択し、各測定結果と上記性能が最もよい一つのセルの性能を比較する。このように、デバイス８００は測定結果とソース基地局の各セルの性能を比較する必要がなく、デバイスの処理負荷を低減し、処理速度を向上した。また、例えばセル測定装置８０２はソース基地局の全てのセルのうちランダムに選択した一つのセルの性能を測定することができる。判断装置８０４は近隣セルの測定結果と選択したセルの性能を比較することができる。このように、デバイス８００はソース基地局の一つのセルの性能を測定すればよく、測定と処理負荷を低減し、処理速度を向上する。
【００７１】
上記方法実施例/例示と類似し、上記デバイス実施例/例示で記述した閾値はシステム（或いは基地局）或いは端末により必要に応じて設定されることができ、ここでは重複しない。
【００７２】
上記方法実施例と同様に、デバイス７００或いは８００は任意の適切な方法であるセルの性能を測定することができ、セルの性能は任意の適切な性能パラメータで表すことができ、ここでは省略する。
【００７３】
例示として、測定対象選択装置７０１/８０１は一つ或いは複数の近隣セルにおける同じ基地局に従属する近隣セルに対応するキャリアコンポーネントが同じ周波数帯域内に位置するか否かを判断することもできる。肯定の場合、その中から一つの近隣セルを選択して測定対象とし、さもなければ、同じ基地局に従属する近隣セルにおける全てのセルを測定対象とする。当該例示は連続的キャリアアグリゲーション方式でのセルのスペクトル特徴と伝播特性を利用し、測定する必要がある近隣セルの数を減少し、端末の測定負荷を大幅に低減した。他の実施例或いは例示で、測定対象選択装置７０１/８０１は他のキャリアアグリゲーションシーンでの近隣セルの他の適切な特性を利用して測定のための対象を選別することができ、ここでは列挙しない。
【００７４】
本発明の幾つかの実施例によると、キャリアアグリゲーションをサポートする通信システムにおける端末を提供する。上記端末は上記デバイス実施例/例示におけるセル切り替えデバイスを含むか、或いは上記方法実施例/例示におけるセル切り替え方法を利用することができる。ここでは省略する。
【００７５】
また、図７〜８を参照して記述したデバイス実施例で、測定対象の選択は端末側で行われた。端末（ソース基地局ではなく）により測定対象を選択することにより、端末と基地局の間の通信に必要なコストを低減し、処理速度と効率を向上する。他の実施例によると、セル切り替えデバイスを含む基地局（図示せず）を提供し、当該基地局のセル切り替えデバイスは測定対象確定装置を含むことができる。当該測定対象確定装置は基地局がサービスする端末が検出した一つ或いは複数の近隣セルのキャリアアグリゲーション方式に基づいて、その中から一つ或いは複数を選択して測定対象とする。対応するように、当該実施例でまた基地局側で行うセル切り替え方法を提供した。当該方法は、以下の内容を含む。即ち、基地局によりそれがサービスする端末が検出した一つ或いは複数の近隣セルのキャリアアグリゲーション方式に基づいて、その中から一つ或いは複数を選択して測定対象とし、且つ上記測定対象を端末に通知する。具体的に、基地局（例えば、測定対象確定装置を利用する）はまず一つ或いは複数の近隣セルにおける同じ基地局に従属する近隣セルに対応するキャリアコンポーネントが同じ周波数帯域内に位置するか否かを確定し、肯定の場合、同じ基地局に従属する近隣セルから一つ或いは複数（好ましくは、一つを選択する）を選択して測定対象とし、否定の場合、同じ基地局に従属する近隣セルにおける全てのセルを測定対象とする。そして、基地局の発送装置により測定対象を端末に通知する。例示として、上記測定対象確定装置は下文で記述する各実施例/例示での基地局側に配置されるセル切り替えデバイスに合併されてもよい。また、基地局により測定対象を選択する方法は下文で記述する各実施例/例示での基地局により行うセル切り替え方法の手順に合併されてもよい。
【００７６】
下文で、キャリアアグリゲーションをサポートする通信システムにおいて基地局側でターゲット基地局とアクセス待ちセルの選択を行う方法、デバイス、このようなデバイスを含む基地局と通信システムを記述する。
【００７７】
伝統的シングルキャリア通信システムにおいて、端末は一つのセルのみにアクセスする。セル切り替えを行う時に、近隣セルの測定報告によると、唯一のアクセス待ちセルを確定でき、即ちターゲット基地局も唯一に確定できる。キャリアアグリゲーションのシーンで、端末はセルを切り替える前に複数のセルに同時にアクセスする可能性があり、これらのセルは一つのソース基地局のみに対応する。一方、セル切り替えを行った後に、端末は依然として複数のセルに同時にアクセスする可能性がある。近隣セルの性能のみに基づいてアクセス待ちセルを選択すると、選択したアクセス待ちセルが異なる基地局に従属する可能性がある。本発明の幾つかの実施例はキャリアアグリゲーションシーンでソース基地局がターゲット基地局及びアクセス待ちセルを選択する策略及び方案を提供する。
【００７８】
図９に一つの実施例を示し、キャリアアグリゲーションをサポートする通信システムにおける基地局（ソース基地局と称する）がそれがサービスする端末が発送した当該端末の近隣セルに関する性能測定報告に基づいてターゲット基地局とアクセス待ちセルを選択する方法を示す。
【００７９】
図９に示すように、当該方法はステップ９０３、９０８、９１５を含む。ステップ９０３でソース基地局はそれがサービスするある端末が発送した当該端末の近隣セルに対する性能測定報告を受信する。当該性能測定報告は端末がその一つ或いは複数の近隣ノードに対する測定結果を含むことができる。これらの近隣ノードは一つ或いは複数の候補基地局に対応することができる。ソース基地局は異なる候補基地局の異なるキャリアアグリゲーション方式に基づいて異なるアルゴリズムを選択してこれらの候補基地局の優先順位を計算する。そして、ステップ９０９で、ソース基地局は計算した優先順位に基づいてこれらの候補基地局から優先順位が最も高い一つを選択してターゲット基地局とする。ステップ９１５で、ソース基地局は一つ或いは複数の近隣セルのうち当該ターゲット基地局に従属する全てのセルから一つ或いは複数を選択して端末のアクセス待ちセルとする。
【００８０】
候補基地局が異なるキャリアアグリゲーション方式をサポートする可能性があるため、その近隣セルは異なる特性を表す。図９に示す実施例でソース基地局はこれらの近隣セルのキャリアアグリゲーション方式に基づいて優先順位計算アルゴリズムを自己適応的選択する。このように、ターゲット基地局に対する選択を実際の通信シーンに一層適応するようにできる。また、当該方法は、先ずターゲット基地局を確定し、その後にターゲット基地局のセルからアクセス待ちセルを選択することにより、選択したアクセス待ちセルが異なる基地局に従属することを避ける。
【００８１】
図１０に各候補基地局のキャリアアグリゲーションシーンに基づいて異なる優先順位アルゴリズムを選択する具体的な実施例を示す。
【００８２】
図１０に示すように、キャリアアグリゲーションシーンに基づいて異なる優先順位アルゴリズムを選択する方法（例えばステップ９０３）はステップ９０３−１、９０３−２、９０３−３を含むことができる。ステップ９０３−１で、ソース基地局はまず性能測定報告に係る一つ或いは複数の近隣セルにおける同じ候補基地局に従属する近隣セルに対応するキャリアコンポーネントが同じ周波数帯域内に位置するかを判断する。上記のように、これらの近隣セルは一つ或いは複数の候補基地局に対応する可能性がある。
【００８３】
一つを超えた近隣セルが同じ候補基地局に対応し、且つこれらの近隣セルが同じ周波数帯域内に位置すると、ステップ９０３−２で、ソース基地局は当該候補基地局に従属する全ての近隣セルの性能に基づいて当該候補基地局の優先順位を計算する（一つの近隣セルのみがある候補基地局に対応すると、当該近隣セルの性能に基づいて当該候補基地局の優先順位を確定する）。例示として、ソース基地局は性能測定報告における測定結果に基づいて、当該候補基地局に従属する全ての近隣セルの性能の和を求めるか、或いは当該候補基地局に従属する全ての近隣セルの性能を重み付けて和を求め、算出した値に基づいて当該候補基地局の優先順位を確定することができる。算出した値が高いほど、優先順位が高い。理解すべきことは、各近隣セルの機能と実際の応用シーンに基づいて重み値を確定することができ、ここでは省略する。
【００８４】
一つを超えた近隣セルが同じ候補基地局に対応し、且つこれらの近隣セルが異なる周波数帯域内に位置すると、ステップ９０３−３でソース基地局は性能測定報告における当該候補基地局に従属する全ての近隣セルのうち性能が最もよい一つの性能に基づいて当該候補基地局の優先順位を確定することができる。当該性能が最もよい近隣セルの性能がよいほど、当該候補基地局の優先順位が高い。
【００８５】
図１０の実施例で、連続的キャリアアグリゲーションシーンと非連続的キャリアアグリゲーションシーンの差異に基づいて、異なる優先順位計算方法を選択して各候補基地局の優先順位を得る。
【００８６】
キャリアアグリゲーションのシーンで、選択したターゲット基地局はキャリアアグリゲーションをサポートする可能性があるため、端末はターゲット基地局に切り替えた後に、複数のセルにアクセスする可能性がある。例示として、ターゲット基地局の全てのセルを端末のアクセス待ちセルに選択することができる。他の例示として、一つ或いは複数の近隣ノードにおけるターゲット基地局に従属する全ての近隣セルを端末のアクセス待ちセルにすることができ、或いはターゲット基地局に従属する全ての近隣セルのうち一つ或いは複数を選択して端末のアクセス待ちセルとすることができる。図１１〜１２は異なるキャリアアグリゲーションシーンに基づいて異なる方式を採用してアクセス待ちセルを選択する他の具体例示をそれぞれ示す。
【００８７】
図１１に示すように、ターゲット基地局のセルからアクセス待ちセルを選択する方法（例えばステップ９１５）はステップ９１５−１、９１５−２、９１５−３を含むことができる。ステップ９１５−１で、ソース基地局は性能測定報告に係る一つ或いは複数の近隣セルのうちターゲット基地局に従属する全てのセルに対応するキャリアコンポーネントが同じ周波数帯域内に位置するかを判断し、即ちターゲット基地局のキャリアアグリゲーション方式が非連続的であるかを確定する。
【００８８】
ターゲット基地局に従属する全ての近隣セルに対応するキャリアコンポーネントが同じ周波数帯域内に位置すると確定すると、ステップ９１５−２でソース基地局は一つ或いは複数の近隣セルのうち上記ターゲット基地局に従属する全ての近隣セルを選択してアクセス待ちセルとする。一つの近隣セルのみがターゲット基地局に従属すると、当該近隣セルを選択してアクセス待ちセルとする。
【００８９】
ターゲット基地局に従属する全ての近隣セルに対応するキャリアコンポーネントが異なる周波数帯域内に位置すると確定すると、ステップ９１５−３で、ソース基地局はターゲット基地局に従属する全ての近隣セルにおける一つ或いは複数を選択して、アクセス待ちセルとする。例えば、ソース基地局はターゲット基地局に従属する全ての近隣セルのうち同じ周波数帯域内に位置する複数のセルを選択してアクセス待ちセルとするか、或いはソース基地局は端末の実際ニーズに基づいてその中の異なる周波数帯域内に位置する複数のセルを選択してアクセス待ちセルとすることができる。
【００９０】
例示として、ソース基地局は一つ或いは複数のアクセス待ちセルを選択した後（例えばステップ９１５の後）、図１１の破線ブロック９１６に示すように、さらに選択したアクセス待ちセルから一つを選択してメインアクセス待ちセルとすることができる。メインアクセス待ちセルとは複数のアクセス待ちセルが存在する場合に端末がセル切り替えを行う際に最初にアクセスするセルである。端末は最初にメインアクセス待ちセルにアクセスすることができる。メインアクセス待ちセルに対するアクセスを完成した後に、端末はキャリアコンポーネントを添加し、アクティブ化する方式を利用して他のアクセス待ちセルにアクセスすることができる。例えば、移動制御メッセージを含まないRRC接続再配置の方式を使用して他のアクセス待ちセルに対応するキャリアコンポーネントの添加を行うことができ、小さいコストでキャリアアグリゲーションの伝送モードを実現する。
【００９１】
図１２はキャリアアグリゲーションシーンに基づいてメインアクセス待ちセルを選択する例を示す。図１２に示すように、複数のアクセス待ちセルから一つのメインアクセス待ちセルを選択する方法（例えばステップ９１６）はステップ９１６−１、９１６−２、９１６−３を含むことができる。ステップ９１６−１で、ソース基地局は性能測定報告に基づいて選択した一つ或いは複数のアクセス待ちセルにおいて、対応するキャリアコンポーネントが端末のカレントサービスセルに対応するキャリアコンポーネントと同じ周波数帯域内に位置するようなセルがあるかを判断する。このようなセルがあると、ステップ９１６−２で当該セルを選択してメインアクセス待ちセルとする。このようなセルがないと、ステップ９１６−３で性能測定報告に基づいて全てのアクセス待ちセルのうち性能が最もよい一つを選択してメインアクセス待ちセルとすることができる。
【００９２】
図１２に示す例示で、できるだけ周波数が端末のカレントサービスセルの周波数と一致するメインアクセス待ちセルを選択し、これにより切り替え前後のセルに対応する周波数の不一致による切り替えコストを低減でき、通信中断の時間を更に減少できる。
【００９３】
例示として、他のアクセス待ちセルのアクセスは移動制御情報を含まないＲＲＣ（Ｒａｄｉｏ  Ｓｏｕｒｃｅ  Ｃｏｎｔｒｏｌ：無線リソース制御）接続再配置の方式を使用してキャリアを添加する方法を用いることにより、小さいコストでキャリアアグリゲーションの伝送モードを実現するすることができる。注意すべきことは、二つのRRC接続再配置の方式があり、一つ目は移動制御情報を含む再配置、即ち切り替えである。二つ目は移動制御情報を含まない再配置である。切り替え（一つ目）方式で、ＭＡＣ(Ｍｅｄｉａ  Ａｃｃｅｓｓ  Ｃｏｎｔｒｏｌ:メディアアクセス制御)層、ＰＤＣＰ（Ｐａｃｋｅｔ  Ｄａｔａ  Ｃｏｎｖｅｒｇｅｎｃｅ  Ｐｒｏｔｏｃｏｌ:パケットデータコンバージェンスプロトコル）層、ＲＬＣ（Ｒａｄｉｏ  Ｌｉｎｋ  Ｃｏｎｔｒｏｌ:無線リンク制御）層はいずれも再配置する必要があり、セキュリティキーも再設置する必要があり、コストが高い。二つ目の方式で、上記機能を再配置する必要がないため、コストが小さい。
【００９４】
他の例示で、ソース基地局は性能測定報告に基づいて、ターゲット基地局に従属する全ての近隣セルのうち（或いはソース基地局が選択したアクセス待ちセルのうち）性能が最もよい一つを選択してメインアクセス待ちセルとする。
【００９５】
図１３は本発明の他の実施例によるセル切り替え方法を示す。図１３に示すように、ターゲット基地局とアクセス待ちセルを確定した後に（理解すべきことは、上記実施例/例示の方法を利用してターゲット基地局とアクセス待ちセルを確定することができる）、ソース基地局が切り替え命令を形成して切り替え命令を発送する過程はステップ９１７、９１９、９２１、９２３を含むことができる。
【００９６】
ステップ９１７で、ソース基地局は選択した一つ或いは複数のアクセス待ちセルに対応するキャリアコンポーネントが同じ周波数帯域内に位置するか否かを判断する。肯定の場合、ステップ９１９で全てのアクセス待ちセルの配置情報を上記端末のセル切り替えを発起するように指示するための切り替え命令にパッケージングし、さもなければ、ステップ９２１でメインアクセス待ちセルの配置情報のみを上記切り替え命令にパッケージングする。最後に、ステップ９２３でソース基地局はターゲット基地局に上記切り替え命令を発送する。
【００９７】
図１３に示す方法で、選択したアクセス待ちセルの数が１より大きく、且つこれらのアクセス待ちセルに対応するキャリアコンポーネントが同じ周波数帯域内に位置すると、ソース基地局が全てのアクセス待ちセルの情報を切り替え命令に含ませる。このように、端末は一回で全てのアクセス待ちセルに対するアクセスを実現できる。言い換えると、端末はセルを切り替えた後に、キャリアアグリゲーションモードに直接に入ることができる。端末が切り替えの前に使用したのがキャリアアグリゲーションの通信モードであると、ユーザのサービス品質を保証し、切り替え前後のサービスの品質の差異を減少することができる。選択したアクセス待ちセルの数が１より大きく、且つこれらのアクセス待ちセルに対応するキャリアコンポーネントが異なる周波数帯域内に位置すると、端末はまずメインアクセス待ちセルにアクセスすることができる。メインアクセス待ちセルに対するアクセスを完成した後に、端末はキャリアコンポーネントを添加する方式で他のアクセス待ちセルにアクセスすることができ、例えば移動制御メッセージを含まないRRC接続再配置の方式を使用して他のアクセス待ちセルに対応するキャリアコンポーネントの添加を行うことができ、小さいコストでキャリアアグリゲーションの伝送モードを実現する。選択したメインアクセス待ちセルと端末切り替え前のサービスセルが同じ周波数帯域内のキャリアコンポーネントに対応すると、切り替え前後の周波数の不一致によるコストをさらに低減でき、通信中断の時間をさらに減少できる。
【００９８】
例示として、端末がソース基地局の複数のセルにカレントアクセスすると、切り替えを完成する前に、端末はカレントアクセスした複数のセルにおける一つとの通信を保持することができる。伝統的シングルキャリア通信システム（例えばＬＴＥシステム）がセル切り替えを行う時に、使用するのはハード切り替えの方法である。即ち、切り替えの過程で、端末はまず古いセルとの通信を切断してから、新しいセルにアクセスするが、これにより通信中断が必ず発生し、ユーザのサービス品質を影響する。当該例示で、キャリアアグリゲーション通信の利点を利用し、端末が新しいセルにアクセスする前に、一つ或いは複数の古いセルとの通信を保留する。端末が新しいセルに完全にアクセスした後、古いセルとの通信を切断し、これにより通信中断の時間を大幅に減少でき、ユーザが感じられるサービス品質を向上する。
【００９９】
図１５は本発明の他の実施例によるキャリアアグリゲーションをサポートする通信システムにおけるセル切り替え方法を示す。当該方法は通信システムにおけるソース基地局により実施される。
【０１００】
図１５に示すように、当該方法はステップ１５１７、１５１９、１５２１、１５２３を含むことができる。ステップ１５１７でソース基地局はそれがサービスする、切り替えを行うある端末にターゲット基地局及び一つ或いは複数のアクセス待ちセルを選択した後、選択したアクセス待ちセルに対応するキャリアコンポーネントが同じ周波数帯域内に位置するかを確定する。肯定の場合、ステップ１５１９で全てのアクセス待ちセルの配置情報を上記端末のセル切り替えを発起するための切り替え命令にパッケージングし、さもなければ、ステップ１５２１でアクセス待ちセルの一部セル（例えば一つのセル或いはいくつかのセル）の配置情報のみを上記切り替え命令にパッケージングする。最後に、ステップ１５２３で上記切り替え命令を発送する。このような方法を利用することにより、アクセス待ちセルが連続的キャリアアグリゲーションの場合、一回で全てのアクセス待ちセルに対するアクセスを実現でき、端末がセルを切り替えた後に直接にキャリアアグリゲーションモードに入るようにできる。端末が切り替えの前に使用したのがキャリアアグリゲーションの通信モードであると、ユーザのサービス品質を保証し、切り替え前後のサービスの品質の差異を減少することができる。
【０１０１】
図２０は本発明の他の実施例によるキャリアアグリゲーションをサポートする通信システムにおけるセル切り替え方法を示す。当該方法は図１５に示す実施例と類似し、異なる点は、図２０に示す方法はさらにメインアクセス待ちセル選択ステップ２０１６を含むことができる。
【０１０２】
図２０に示すように、当該方法はステップ２０１６、２０１７、２０１９、２０２１、２０２３を含むことができる。ステップ２０１７、２０１９、２０２１、２０２３は図１５に示すステップ１５１７、１５１９、１５２１、１５２３とそれぞれ類似し、ここでは説明を省略する。ステップ２０１６で、ソース基地局は選択した一つ或いは複数のアクセス待ちセルから一つを選択してメインアクセス待ちセルとすることができる。当該例示で、ソース基地局はステップ２０２１でメインアクセス待ちセルの配置情報のみを切り替え命令にパッケージングすることができる。理解すべきことは、上文の各実施例/例示で記述した方法でメインアクセス待ちセルを選択することができ、ここでは重複しない。
【０１０３】
例示として、図１５或いは図２０で示した方法は、ソース基地局がターゲット基地局とアクセス待ちセルを選択するステップをさらに含むことができ、例えば図２０に示したステップ２００９と２０１５がある。例えば、ステップ２００９と２０１５で、ソース基地局は端末が発送した性能測定報告に基づいて当該端末の近隣セルに対応する候補基地局のうちターゲット基地局を選択し、ターゲット基地局のセルのうち一つ或いは複数のアクセス待ちセルを選択する。理解すべきことは、ソース基地局は任意の適切な方法でターゲット基地局とアクセス待ちセルを選択することができ、例えば、上文で図９〜１３に参照して記述した実施例/例示の方法でターゲット基地局とアクセス待ちセルを選択することができ、ここでは重複して説明しない。
【０１０４】
図１４と図１６はキャリアアグリゲーションシーンでセル切り替えのためのデバイスの実施例/例示をそれぞれ示す。図１４或いは１６に示すデバイスはキャリアアグリゲーションをサポートする通信システムの基地局に設置されている。図面の破線ブロックで示す装置は選択可能である。
【０１０５】
図１４の実施例で、セル切り替えデバイス１４００は受信装置１４０１、優先順位確定装置１４０２、ターゲット基地局選択装置１４０３、セル選択装置１４０４を含むことができる。受信装置１４００は基地局がサービスする端末が発送した一つ或いは複数の近隣セルに対する性能測定報告を受信する。優先順位確定装置１４０２は上記性能測定報告に基づき、一つ或いは複数の近隣セルに対応する一つ或いは複数の候補基地局のキャリアアグリゲーション方式に応じて、異なるアルゴリズムを選択して各候補基地局の優先順位を計算する。ターゲット基地局選択装置１４０３は優先順位確定装置１４０２が算出した優先順位に基づいて、各候補基地局のうち優先順位が最も高い一つを選択してターゲット基地局とする。セル選択装置１４０４はターゲット基地局に従属するセルのうち端末の一つ或いは複数のアクセス待ちセルを選択する。
【０１０６】
候補基地局が異なるキャリアアグリゲーション方式をサポートする可能性があるため、その近隣セルは異なる特性を表す。上記例示でソース基地局のデバイスはこれらの近隣セルのキャリアアグリゲーション方式に基づいて異なる優先順位計算アルゴリズムを自己適応に選択する。このように、ターゲット基地局に対する選択を実際の通信シーンに一層適応するようにできる。また、当該デバイスは、先ずターゲット基地局を確定し、その後にターゲット基地局のセルからアクセス待ちセルを選択することにより、選択したアクセス待ちセルが異なる基地局に従属することを避ける。
【０１０７】
上記実施例の具体的例示として、優先順位確定装置１４０２はまず候補基地局が連続的キャリアアグリゲーションモードであるかを判断し、その後に連続的キャリアアグリゲーション方式と非連続的キャリアアグリゲーション方式に適するアルゴリズムをそれぞれ選択する。具体的に、優先順位確定装置１４０２は一つ或いは複数の近隣セルのうち同じ候補基地局に従属する近隣セルに対応するキャリアコンポーネントが同じ周波数帯域内に位置するか否かを判断することができる。
【０１０８】
一つを超えた近隣セルが同じ候補基地局に対応し、且つこれらの近隣セルが同じ周波数帯域内に位置すると、優先順位確定装置１４０２は、当該候補基地局に従属する全ての近隣セルの性能に基づいて当該候補基地局の優先順位を計算する（一つの近隣セルのみがある候補基地局に対応すると、当該近隣セルの性能に基づいて当該候補基地局の優先順位を確定する）。例示として、性能測定報告における測定結果に基づいて、当該候補基地局に従属する全ての近隣セルの性能の和を求めるか、或いは当該候補基地局に従属する全ての近隣セルの性能を重み付けて和を求め、算出した値に基づいて当該候補基地局の優先順位を確定することができる。算出した値が高いほど、優先順位が高い。上記方法実施例/例示と類似するように、各近隣セルの機能と実際の応用シーンに基づいて重み値を確定することができ、ここでは省略する。
【０１０９】
一つを超えた近隣セルが同じ候補基地局に対応し、且つこれらの近隣セルが異なる周波数帯域内に位置すると、優先順位確定装置１４０２は性能測定報告における当該候補基地局に従属する全ての近隣セルのうち性能が最もよい一つの性能に基づいて当該候補基地局の優先順位を確定することができる。当該性能が最もよい近隣セルの性能がよいほど、当該候補基地局の優先順位が高い。
【０１１０】
具体的例示として、セル選択装置１４０４は、性能測定報告に係る一つ或いは複数の近隣セルにおける、ターゲット基地局に従属する全ての近隣セルのうち一つ或いは複数を選択して、アクセス待ちセルとすることができる。例えば、セル選択装置１４０４は性能測定報告に係る一つ或いは複数の近隣セルにおける、ターゲット基地局に従属する全ての近隣セルを端末のアクセス待ちセルとすることができる。他の例示として、セル選択装置１４０４はターゲット基地局の全てのセルのうち一つ或いは複数を選択して端末のアクセス待ちセルとすることができる。例示として、セル選択装置は上文で図１１〜１２に参照して記述した方法を利用して異なるキャリアアグリゲーションシーンに基づいて異なる方式を採用してアクセス待ちセルを選択することもでき、選択したアクセス待ちセルが実際のキャリアアグリゲーションシーンに一層適応するようにできる。
【０１１１】
例えば、セル選択装置１４０４はまず性能測定報告に係る一つ或いは複数の近隣セルにおける、上記ターゲット基地局に従属する全ての近隣セルに対応するキャリアコンポーネントが同じ周波数帯域内に位置するか否かを確定することができる。肯定の場合、上記ターゲット基地局に従属する全ての近隣セルを選択してアクセス待ちセルとする。さもなければ、上記ターゲット基地局に従属する近隣セルのうち一つ或いは複数を選択してアクセス待ちセルとする。一つの近隣セルのみがターゲット基地局に従属すると、当該近隣セルを選択してアクセス待ちセルとする。
【０１１２】
例示として、セル選択装置１４０４は選択したアクセス待ちセルから一つを選択してメインアクセス待ちセルとすることができる。例えば、セル選択装置１４０４は選択した一つ或いは複数のアクセス待ちセルのうち、対応するキャリアコンポーネントが上記端末のカレントサービスセルに対応するキャリアコンポーネントと同じ周波数帯域内に位置するセルがあるか否かを判断することができる。肯定の場合、当該セルを選択してメインアクセス待ちセルとし、さもなければ、上記性能測定報告に基づいて上記ターゲット基地局に従属する全ての近隣セルのうち性能が最もよい一つを選択してメインアクセス待ちセルとする。また、例えばセル選択装置１４０４はターゲット基地局選択装置１４０３がターゲット基地局を選択した後に、上記ターゲット基地局に従属する全ての近隣セルのうち性能が最もよい一つを選択してメインアクセス待ちセルとすることができる。セル選択装置１４０４は上文の方法実施例/例示で記述した方法を利用してメインアクセス待ちセルを選択することもでき、ここでは重複しない。
【０１１３】
他の例示で、デバイス１４００は命令形成装置１４０５と発送装置１４０６を含むことができる。命令形成装置１４０５は図１３に示す方法で切り替え命令を形成することができる。具体的に、命令形成装置１４０５は選択したアクセス待ちセルに対応するキャリアコンポーネントが同じ周波数帯域内に位置するかを確定することができ、肯定の場合、全てのアクセス待ちセルの配置情報を切り替え命令にパッケージングし、さもなければ、上記メインアクセス待ちセルの配置情報のみを切り替え命令にパッケージングする。発送装置１４０６はターゲット基地局に切り替え命令を発送する。当該例示を利用すれば、選択したアクセス待ちセルの数が１より大きく、且つこれらのアクセス待ちセルが同じ周波数帯域に位置する場合、端末は全てのアクセス待ちセルに対するアクセスを一回で実現できる。言い換えると、端末はセル切り替えた後に、直接にキャリアアグリゲーションモードに入ることができる。端末が切り替えの前に使用したのがキャリアアグリゲーションの通信モードであると、ユーザのサービス品質を保証し、切り替え前後のサービスの品質の差異を減少することができる。また、選択したアクセス待ちセルに対応するキャリアコンポーネントが異なる周波数帯域内に位置する場合、端末はまずメインアクセス待ちセルにアクセスすることができる。メインアクセス待ちセルに対するアクセスを完成した後に、端末はキャリアコンポーネントを添加する方式で他のアクセス待ちセルにアクセスすることができ、例えば移動制御メッセージを含まないRRC接続再配置の方式を使用して他のアクセス待ちセルに対応するキャリアコンポーネントの添加を行うことができ、小さいコストでキャリアアグリゲーションの伝送モードを実現する。
【０１１４】
例示として、切り替えを行う端末がソース基地局の複数のセルにカレントアクセスすると、端末はターゲット基地局に切り替える前に、カレントアクセスした複数のセルにおける一つとの通信を保持する。例えば、ソース基地局（例えば発送装置１４０６）が上記端末に命令を発送し、端末がある元のセルとの通信を保持するように指示する。上記方法実施例/例示と類似するように、これにより通信中断の時間を大幅に減少でき、ユーザが感じられるサービス品質を向上する。
【０１１５】
図１６の実施例で、デバイス１６００は図１５に示す方法を実施することができる。具体的に、デバイス１６００は命令形成装置１６０５と発送装置１６０６を含むことができる。
【０１１６】
命令形成装置１６０５は当該基地局がサービスする、セル切り替えを行う端末に選択したターゲット基地局に従属する一つ或いは複数のアクセス待ちセルに対応するキャリアコンポーネントが同じ周波数帯域内に位置するかを確定し、肯定の場合、全てのアクセス待ちセルの配置情報を上記端末のセル切り替えを発起する切り替え命令にパッケージングし、さもなければ、上記アクセス待ちセルの一部セル（一つ或いは幾つかのセル）の配置情報を上記切り替え命令にパッケージングする。発送装置１６０６はターゲット基地局に上記切り替え命令を発送する。当該実施例のデバイスを利用して、選択したアクセス待ちセルに対応するキャリアコンポーネントが同じ周波数帯域内に位置する場合、セル切り替えを行う端末は全てのアクセス待ちセルに同時にアクセスすることができ、端末がセル切り替えた後に直接にキャリアアグリゲーションモードに入るようにする。端末切り替えの前に使用したのがキャリアアグリゲーションの通信モードである場合、ユーザのサービス品質を保証し、切り替え前後のサービス品質差異を減少することができる。
【０１１７】
例示として、セル切り替えデバイス１６００は、選択した一つ或いは複数のアクセス待ちセルから一つを選択してメインアクセスセルとするメインセル選択装置１６０７を含むことができる。これにより、命令形成装置は切り替え命令を形成する時にメイン切り替えセルの配置情報のみを当該命令にパッケージングする。この場合、端末はまずメインアクセス待ちセルにアクセスすることができる。メインアクセス待ちセルに対するアクセスを完成した後に、端末はキャリアコンポーネントを添加し、アクティブ化する方式で他のアクセス待ちセルにアクセスすることができ、例えば、移動制御メッセージを含まないRRC接続再配置の方式を使用して他のアクセス待ちセルに対応するキャリアコンポーネントの添加を行うことができ、小さいコストでキャリアアグリゲーションの伝送モードを実現する。
【０１１８】
具体的に、メインセル選択装置１６０７は性能測定報告に基づいて選択したアクセス待ちセルのうち性能が最もよい一つを選択してメインアクセス待ちセルとする。
【０１１９】
或いはメインセル選択装置１６０７は選択したアクセス待ちセルのキャリアに基づいてメインアクセス待ちセルを選択することもできる。具体的に、メインセル選択装置１６０７は選択したアクセス待ちセルのうち、対応するキャリアコンポーネントが上記端末のカレントサービスセルに対応するキャリアコンポーネントと同じ周波数帯域内に位置するセルがあるか否かを判断することができ、肯定の場合、当該セルを選択してメインアクセス待ちセルとし、さもなければ、上記ターゲット基地局に従属する全ての近隣セルにおける性能が最もよい一つを選択してメインアクセス待ちセルとする。しかし、選択したメインアクセス待ちセルと端末のカレントサービスセルが同じ周波数帯域内に位置する場合、切り替え前後のセルの周波数の不一致による切り替えコストを低減でき、通信中断の時間を更に減少できる。
【０１２０】
例示として、セル切り替えデバイス１６００はさらに受信装置１６０１、ターゲット基地局選択装置１６０３、セル選択装置１６０４を含むことができる。前記実施例/例示に類似するように、受信装置１６０１は基地局がサービスする端末が発送する一つ或いは複数の近隣セルに対する性能測定報告を受信する。ターゲット基地局選択装置１６０３は上記性能測定報告に基づいて一つ或いは複数の近隣セルに対応する一つ或いは複数の候補基地局のうち一つを選択してターゲット基地局とする。ターゲット基地局選択装置１６０３は上記実施例/例示で記述した方法或いはその他の適切な方法を利用してターゲット基地局を選択することができ、例えばターゲット基地局選択装置１６０３は図１４に示す装置１４０３と類似してもよく、ここでは重複しない。セル選択装置１６０４はターゲット基地局に従属する全ての近隣セルのうち上記端末の一つ或いは複数のアクセス待ちセルを選択する。
【０１２１】
具体的例示として、セル選択装置１６０４は上記実施例/例示に示した方法を利用してアクセス待ちセルを選択する。例えば、セル選択装置１６０４は上記ターゲット基地局に従属する全ての近隣セルに対応するキャリアコンポーネントが同じ周波数帯域内に位置するかを確定でき、肯定の場合、上記ターゲット基地局に従属する全ての近隣セルを選択してアクセス待ちセルとし、さもなければ、上記ターゲット基地局に従属する全ての近隣セルのうち一つ或いは複数を選択してアクセス待ちセルとする。
【０１２２】
他の具体的例示で、デバイス１６００はさらに図１４を参照して記述した実施例における優先順位確定装置１４０２を含むことができ、その機能は上記実施例/例示と同じでもよく、ここでは重複しない。
【０１２３】
本発明の幾つかの実施例によると、キャリアアグリゲーションシーンでセル切り替えを行う方法を提供し、これらの方法は上文と下文の実施例/例示における端末及びソース基地局がセル切り替えを行う流れを含むことができる。ここでは重複しない。
【０１２４】
本発明の幾つかの実施例によると、上文と下文の実施例/例示における端末及び/又は基地局を含む通信システムを提供する。
【０１２５】
図１７、図１８、図１９は上記実施例のセル切り替えアルゴリズムを応用できる応用シーンをそれぞれ示す。図面で、Ａ０１−Ａ０３、Ｂ０１−０３、Ｃ０１−０３はそれぞれ基地局を示す。図１７のキャリアコンポーネントＦＡ１とキャリアＦＡ２に対応するセルカバー範囲は基本的に重なり、相似するカバー領域を提供することができる。ＦＡ１とＦＡ２は同じキャリア周波数帯域内に位置し、典型的な連続的キャリアアグリゲーション方式である。図１８と図１９は非連続的キャリアアグリゲーションシーンにそれぞれ対応し、ＦＢ１とＦＢ２は異なるキャリア周波数帯域内に位置し、ＦＣ１とＦＣ２も異なるキャリア周波数帯域内に位置する。ＦＢ１或いはＦＣ１に対応するセルは主にカバー性を保証し、ＦＢ２或いはＦＣ２に対応するセルは主にスループットを向上する。図１８と図１９の区別は、図１９でＦＣ２に対応するセルアンテナはＦＣ１に対応するセルのエッジ領域を指し、これにより図１９の応用シーンはＦＣ１セルエッジ領域のスループットを大幅に向上する。
【０１２６】
幾つかの例示により、セル切り替えを行う過程は準備段階、実行段階、完成段階を含むことができる。応用シーンが異なるにより切り替え策略も異なり、以下にこの三つの典型的応用シーンでセル切り替えを行う流れの例示をそれぞれ示す。
【０１２７】
図１７のシーン：
【０１２８】
準備段階
【０１２９】
端末がカレントサービスセルのカバーエッジに位置する場合、全ての近隣セル（一つのキャリアの周波数が一つの近隣セルに対応し、同じ基地局に従属する近隣セルが同じ周波数帯域内に位置すると、その中の一つの近隣セルを選択して測定すればよい）に対して測定する必要がある。この時、端末がＦＡ１に対応するセルでの測定結果がＭｆ１であり、ＦＡ２に対応するセルでの測定結果がＭｆ２であり、そのある近隣セルに対する測定結果がＭｆであるとする。すると、以下の条件の一つを満足すれば、端末が基地局に当該測定結果を発送する。
Ｍｆ≧Ｔｈ１或いは
Ｍｆ≧Ｍｆ１＋Ｔｈ２或いはＭｆ≧Ｍｆ２＋Ｔｈ２
【０１３０】
即ち、当該近隣セルの測定結果が一定の閾値（Ｔｈ１）より高いか或いは端末がアクセスした何れかのセルの測定結果より優れると、端末が基地局に当該測定結果を発送する。当該近隣セルは候補アクセスセルとすることができる。
【０１３１】
実際の実行過程で、基地局或いは端末は端末がアクセスしたセルにおける一つのセルをランダムに指定して比較待ちの対象とし、近隣セルの測定結果と比較することができる。
【０１３２】
実行段階
【０１３３】
当該段階はターゲット基地局及びアクセスセルを確定する。同じ基地局に従属する候補セルに対応するキャリア周波数が同じ周波数帯域内に位置するため、当該基地局の選択優先順位はこれらの候補セルの性能の重み付けにより決められる。最も高い優先順位を有する基地局を選択してターゲット基地局とする。ターゲット基地局に従属する候補セルに対応するキャリア周波数が同じ周波数帯域内に位置するため、全ての候補セルをアクセスセルとする。ここで、基地局Ａ０２におけるＦＡ１とＦＡ２に対応するセルをアクセス待ちセルとする。
【０１３４】
完成段階
【０１３５】
端末が切り替えの前に複数のセルに同時にアクセスし、選択したアクセス待ちセルの数は複数であり、且つこれらのアクセス待ちセルに対応するキャリアコンポーネントが同じ周波数帯域内に位置する。切り替え要求を発送する時に、ソース基地局は全てのアクセス待ちセルの情報をターゲット基地局に発送する。
【０１３６】
ターゲット基地局は受信した情報に基づいてアクセス制御評価を行った後に、アクセスを許可するとＡＣＫメッセージをソース基地局に発送する。
【０１３７】
ソース基地局は当該ＡＣＫメッセージを受信した後に、移動的制御情報を含むＲＲＣ接続再配置メッセージを発送することにより、全てのアクセス待ちセルに対するＲＲＣ接続再配置を発起する。
【０１３８】
再配置完成の後、端末は元の一つ或いは複数のセルを選択して切断するが、少なくとも一つの元のセルを保留して通信を保持し、且つターゲット基地局の全てのアクセス待ちセルに同期要求を発起して新しいセルに同期する。
【０１３９】
端末がターゲット基地局における全てのアクセス待ちセルとの同期及び相応のアクセス手順を完成してデータ伝送を行える場合、元のセルの接続を切断して、完全に新しい基地局とセルでそれにサービスを提供する。
【０１４０】
図１８のシーン
【０１４１】
準備段階：端末がセルのエッジに位置する場合、全ての近隣セル（一つのキャリア周波数が一つの近隣セルに対応する）に対して測定する必要がある。この時、端末がＦＢ１に対応するセルでの測定結果がＭｆ１であり、ＦＢ２に対応するセルでの測定結果がＭｆ２であり、ある近隣セルに対する測定結果がＭｆであるとする。すると、以下の条件の一つを満足すれば、端末が基地局に当該近隣セルを測定した測定結果を発送する。
Ｍｆ≧Ｔｈ１或いは
Ｍｆ≧Ｍｆ１＋Ｔｈ２或いはＭｆ≧Ｍｆ２＋Ｔｈ２
【０１４２】
即ち、近隣セルの測定結果が一定の閾値（Ｔｈ１）より高いか或いは端末が位置した何れかのセルの測定結果より優れると、端末が基地局に当該測定結果を発送する。当該近隣セルは切り替え候補セルとすることができる。
【０１４３】
実際の実行過程で、基地局或いは端末は端末がアクセスしたセルにおける一つのセルをランダムに指定して比較待ちの対象とし、近隣セルの測定結果と比較することができる。
【０１４４】
実行段階
【０１４５】
当該段階はターゲット基地局及びアクセスセルを確定する。具体的に、同じ基地局に従属する候補セルに対応するキャリア周波数が同じ周波数帯域内に位置するか否かに基づいて、候補基地局の選択の優先順位を決定し、最後に、最も高い優先順位を有する基地局を選択してターゲット基地局とする。ターゲット基地局に従属する候補セルの数、同じ周波数帯域内に位置するか否か、及び切り替え前のキャリア周波数の関係に基づいてアクセスセルを決定する。ここで、基地局Ｂ０３におけるＦＢ１とＦＢ２に対応するセルをアクセスセルとする。
【０１４６】
完成段階
【０１４７】
端末が切り替えの前に一つのセルのみにアクセスするとする。確定したアクセス待ちセルの数は複数であり、且つこれらのアクセス待ちセルに対応するキャリアコンポーネントが異なる周波数帯域内に位置する。ここでＦＢ１が切り替えを行う前のセルの周波数と仮定する。この時、ＦＢ１に対応するアクセス待ちセルをメインアクセス待ちセルに選択し、切り替え要求を発送する時に、ソース基地局はメインアクセス待ちセルの情報をターゲット基地局に発送する。
【０１４８】
ターゲット基地局はアクセス制御の評価を行った後に、アクセスを許可するとＡＣＫメッセージをソース基地局に発送する。
【０１４９】
ソース基地局は当該ＡＣＫメッセージを受信した後に、移動的制御情報を含むＲＲＣ接続再配置メッセージを発送することにより、メインアクセス待ちセルに対するＲＲＣ接続再配置を発起する。
【０１５０】
再配置完成後、端末は元のセルとの接続を切断し、ターゲット基地局のメインアクセスセルに同期要求を発起し、新しいメインアクセスセルに同期する。
【０１５１】
端末がターゲット基地局におけるメインアクセスセルとの同期及び相応のアクセス手順を完成すると、データ伝送を行うことができ、この時完全に新しい基地局とセルでそれにサービスを提供する。
【０１５２】
端末が移動制御情報を含まないＲＲＣ接続再配置メッセージを発送し、これによりキャリアコンポーネントＦＢ２を添加し、ＦＢ２に対応するセルにアクセスし、キャリアアグリゲーションを実現する。
【０１５３】
図１９のシーン
【０１５４】
準備段階
【０１５５】
端末がセルのエッジに位置する場合、全ての近隣セル（一つのキャリア周波数が一つの近隣セルに対応する）に対して測定する必要がある。この時、端末がＦｃ１に対応するセルでの測定結果がＭｆ１であり、Ｆｃ２に対応するセルでの測定結果がＭｆ２であり、その近隣セルに対する測定結果がＭｆであるとする。すると、以下の条件の一つを満足すれば、端末が基地局に測定結果を発送する。
Ｍｆ≧Ｔｈ１  或いは
Ｍｆ≧Ｍｆ１＋Ｔｈ２或いはＭｆ≧Ｍｆ２＋Ｔｈ２
【０１５６】
即ち、近隣セルの測定結果が一定の閾値（Ｔｈ１）より高いか或いは端末が位置する全てのセルの測定結果より優れると、端末が基地局に測定報告を発送する。当該近隣セルが切り替え候補セルである。
【０１５７】
実際の実行過程で、基地局或いは端末は測定結果が最もよい一つのセルを選択して比較待ちの対象とし、近隣セルの測定結果と比較することができる。
【０１５８】
実行段階
【０１５９】
当該段階はターゲット基地局及びアクセスセルを確定する。具体的に、同じ基地局に従属する候補セルに対応するキャリア周波数が同じ周波数帯域内に位置するか否かに基づいて、候補基地局の選択の優先順位を決定し、最後に、最も高い優先順位を有する基地局を選択してターゲット基地局とする。ターゲット基地局に従属する候補セルの数、同じ周波数帯域内に位置するか否か、及び切り替え前のキャリア周波数の関係に基づいてアクセスセルを決定する。ここで、基地局Ｃ０３におけるＦｃ１とＦｃ２に対応するセルをアクセス待ちセルとする。
【０１６０】
完成段階
【０１６１】
端末が切り替えの前に複数のセルに同時にアクセスするとする。選択したアクセス待ちセルの数は複数であり、且つこれらのアクセス待ちセルに対応するキャリア周波数が異なる周波数帯域内に位置する。切り替え要求を発送する時に、ソース基地局は全てのアクセス待ちセルの情報をターゲット基地局に発送する。
【０１６２】
ターゲット基地局はアクセス制御評価を行った後に、アクセスを許可するとＡＣＫメッセージをソース基地局に発送する。
【０１６３】
ソース基地局は当該ＡＣＫメッセージを受信した後に、移動的制御情報を含むＲＲＣ接続再配置メッセージを発送することにより、全てのアクセス待ちセルに対するＲＲＣ接続再配置を発起する。
【０１６４】
再配置完成後、端末は元の一つ或いは複数のセルを選択して切断するが、少なくとも一つの元のセルを保留して通信を保持し、且つターゲット基地局の全てのアクセス待ちセルに同期要求を発起し、新しいセルに同期する。
【０１６５】
端末がターゲット基地局における全てのアクセス待ちセルとの同期及び相応のアクセス手順を完成し、データ伝送を行える場合、元のセルとの接続を切断し、完全に新しい基地局とセルでそれにサービスを提供する。
【０１６６】
理解すべきことは、上記実施例と例示は例示的であり、網羅的なものではない。本発明は何れかの具体的実施例或いは例示に限定されるとみなしてはいけない。
【０１６７】
例示として、上記方法の各ステップ及び上記デバイスの各組成モジュール及び/又はユニットは、通信システムの基地局或いは端末におけるソフトウェア、ファームウエア、ハードウェア或いはその組み合わせに実施することができ、当該基地局或いは端末のデバイスの一部になる。上記デバイスの各組成モジュール、ユニットがハードウェア、ファームウエア、ソフトウェア、又はその組み合わせの方式で配置される場合に使用可能な具体的手段或いは方式は、当業者によく知られていて、ここでは説明を省略する。一つの例示として、従来の基地局或いは端末のデバイスで本発明による上記方法及び/又はデバイスを実施し、従来の基地局或いは端末の各組成部分を若干変えればよい。
【０１６８】
例示として、ソフトウェア或いはファームウエアで実現する場合、記憶媒体或いはネットワークから専用ハードウェア構成を有するコンピュータ（例えば図２１に示す汎用コンピュータ２１００）に上記方法を実現するためのソフトウェアを構成するプログラムをインストールすることができる。このコンピュータは各種プログラムがインストールされている場合、各種機能を実行できる。
【０１６９】
図２１で、中央処理ユニット（ＣＰＵ）２１０１は、リードオンリーメモリ（ＲＯＭ）２１０２に記憶されているプログラム或いは記憶部分２１０８からランダムアクセスメモリ（ＲＡＭ）２１０３にロードしたプログラムに基づいて各種の処理を実行する。ＲＡＭ２１０３には、必要に応じてＣＰＵ２１０１が各種処理等を行う時に必要とするデータが記憶されている。ＣＰＵ２１０１、ＲＯＭ２１０２、ＲＡＭ２１０３はバス２１０４を介して互いに接続されている。入力/出力インタフェース２１０５もバス２１０４に接続されている。
【０１７０】
入力部分２１０６（キーボード、マウス等を含む）、出力部分２１０７（陰極線管（ＣＲＴ）、液晶ディスプレイ（ＬＣＤ）等のディスプレイ、スピーカ等を含む）、記憶部分２１０８（ハードディスク等を含む）、通信部分２１０９（ＬＡＮカード、モデム等のネットワークインタフェースカードを含む）は、入力/出力インタフェース２１０５にリンクする。通信部分２１０９はネットワーク、例えばインターネットを介して通信処理を実行する。必要に応じて、ドライバ２１１０も入力/出力インタフェース２１０５にリンクすることができる。着脱可能媒体２１１１、例えば磁気ディスク、光ディスク、光磁気ディスク、半導体メモリ等は必要に応じてドライバ２１１０に実装され、その中から読み出したコンピュータプログラムが必要に応じて記憶部分２１０８にインストールされるようにする。
【０１７１】
ソフトウェアにより上記一連の処理を実現する場合、インターネットのようなネットワーク或いは着脱可能媒体２１１１のような記憶媒体からソフトウェアを構成するプログラムをインストールする。
【０１７２】
当業者が理解すべきことは、このような記憶媒体は図２１に示す、プログラムが記憶され、デバイスと別体に配布してユーザにプログラムを提供する着脱可能媒体２１１１に限定されない。着脱可能媒体２１１１の例は、磁気ディスク（フロッピディスク（登録商標）を含む）、光ディスク（光ディスクリードオンリーメモリ（ＣＤ−ＲＯＭ）、デジタル多機能ディスク（ＤＶＤ）を含む）、光磁気ディスク（ミニディスク（ＭＤ）（登録商標）を含む）、半導体メモリを含む。或いは、記憶媒体は、ＲＯＭ２１０２、記憶部分２１０８に含まれるハードディスクなどであってもよく、その中にプログラムが記憶され、それを含むデバイスと一緒にユーザに配布される。
【０１７３】
本発明は、さらに機器で読み取り可能な指令コードが記憶されているプログラム製品を提出する。上記指令コードが装置により読み取られて実行される場合、上記の本発明の実施例による方法を実行することができる。
【０１７４】
対応するように、機器で読み取り可能な指令コードが記憶されているプログラム製品を搭載する記憶媒体も本発明の開示に含まれる。上記記憶媒体はフロッピーディスク、光ディスク、光磁気ディスク、メモリカード、メモリースティック等が含まれるが、これに限られない。
【０１７５】
上記の本発明の実施例に対する記述で、一つの実施形態で記述及び/又は示した特徴は同じ又は類似する方式で一つ或いは複数の他の実施形態で使用したり、他の実施形態の特徴と組み合わせたり、他の実施形態の特徴を取り替えたりすることができる。
【０１７６】
ここで、専門用語「備える/含む」が本文で使用される時に、特徴、要素、ステップ或いはモジュールの存在を指し、一つ或いは複数の他の特徴、要素、ステップ或いはモジュールの存在或いは付加を排除しない。
【０１７７】
また、本発明の方法は、明細書で説明した時間順序に従って実行するのに限定されず、その他の時間順序に従って、順序的に、並行的に、独立的に実行してもよい。よって、本明細書で説明した方法の実行順序は本発明の技術範囲を制限しない。
【０１７８】
以上で本発明の具体的実施例に対する記述で本発明を開示したが、理解すべきことは、上記の全ての実施例と例示は例示的であり、限定的ではない。当業者は、請求項の精神と範囲内で本発明の各種の変更、改進、同等物を設計することができる。これらの変更、改進、同等物も本発明の保護範囲に入るとみなすべきである。
【図１】
0005590235.tif 000002
【図２】
0005590235.tif 000003
【図３】
0005590235.tif 000004
【図４】
0005590235.tif 000005
【図５】
0005590235.tif 000006
【図６】
0005590235.tif 000007
【図７】
0005590235.tif 000008
【図８】
0005590235.tif 000009
【図９】
0005590235.tif 000010
【図１０】
0005590235.tif 000011
【図１１】
0005590235.tif 000012
【図１２】
0005590235.tif 000013
【図１３】
0005590235.tif 000014
【図１４】
0005590235.tif 000015
【図１５】
0005590235.tif 000016
【図１６】
0005590235.tif 000017
【図１７】
0005590235.tif 000018
【図１８】
0005590235.tif 000019
【図１９】
0005590235.tif 000020
【図２０】
0005590235.tif 000021
【図２１】
0005590235.tif 000022